(57)【要約】【課題】  ディスプレイとコントローラとを一体化すると共に、ディスプレイを操作することで操作感を向上させると共に、臨場感にあふれた画像を表示させることのできる表示方法を提供する。【解決手段】  表示方法として、長さおよび幅方向に所定間隔で配置される接続手段３と、接続手段３に着脱可能に接続される複数の表示手段４と、接続手段３に接続された表示手段４の位置を検出する位置検出手段と、位置検出手段の検出結果を基に接続手段３を介して表示手段４に所定の画像を表示させる制御手段とを具備し、制御手段は、接続手段３に接続された表示手段４が互いに隣接する位置にあるときには、互いに関連付けられた画像を隣接する表示手段４に表示させる。【選択図】        図１
2005237582.tif 000002
【特許請求の範囲】
【請求項１】
長さおよび幅方向に所定間隔で配置される接続手段と、
該接続手段に着脱可能に接続される複数の表示手段と、
前記接続手段に接続された前記表示手段の位置を検出する位置検出手段と、
該位置検出手段の検出結果を基に前記接続手段を介して前記表示手段に所定の画像を表示させる制御手段とを具備し、
該制御手段は、前記接続手段に接続された前記表示手段が互いに隣接する位置にあるときには、互いに関連付けられた画像を隣接する前記表示手段に表示させることを特徴とする表示方法。
【請求項２】
長さおよび幅方向に所定間隔で配置される接続手段と、
該接続手段に着脱可能に接続される複数の表示手段と、
前記接続手段に接続された前記表示手段の位置を検出する位置検出手段と、
該位置検出手段の検出結果を基に前記接続手段を介して前記表示手段に所定の画像を表示させる制御手段とを具備し、
該制御手段は、前記接続手段に接続された前記表示手段が互いに隣接しない位置にあるときには、互いに関連付けられた画像を夫々前記表示手段に表示させることを特徴とする表示方法。
【請求項３】
前記接続手段は、高さ方向にも所定間隔で配置されることを特徴とする請求項１または請求項２に記載の表示方法。
【請求項４】
前記接続手段に脱着可能に接続され、前記表示手段に表示させる画像を記憶する画像記憶手段をさらに具備し、
前記制御手段は、前記接続手段に接続された前記画像記憶手段から呼出した画像を前記表示手段に表示させることを特徴とする請求項１から請求項３までの何れか一つに記載の表示方法。
【請求項５】
前記制御手段および前記位置検出手段は、前記表示手段と一体的に備えられていることを特徴とする請求項１から請求項４までの何れか一つに記載の表示方法。
【発明の詳細な説明】
【技術分野】
【０００１】
本発明は、ゲームや玩具などに用いることのできる表示方法に関するものである。
【背景技術】
【０００２】
従来より、ゲーム機としては、ゲームの内容を表示するためのＣＲＴ，ＬＣＤなどのディスプレイとしての表示手段と、ゲームの内容などをコントロールするためのインターフェースとなる入力手段と、入力手段からの信号に基づいてゲームの内容を制御する制御手段とを備えたものが知られている。このゲーム機では、入力手段を操作することにより、ゲームの内容を制御すると共に、その結果を表示手段に表示させるものである。
【０００３】
この種のゲーム機としては、表示手段として家庭用のテレビなどを使用し、ゲーム機本体と入力手段として汎用性の高いコントローラとが別体とされたものや、表示手段と入力手段とが一体とされ携帯可能に小型化されたもの、或いは、ゲームセンターなどの商業施設において用いられ、ゲームの内容に応じて専用の表示手段や入力手段を備えた大型のものなどが知られている。
【０００４】
出願人は、本願出願時において、以上の技術情報が記載されている文献を特に知見していない。
【発明の開示】
【発明が解決しようとする課題】
【０００５】
しかしながら、従来のゲーム機では、例えば、家庭などで用いるものの場合、その入力手段としてのコントローラは、種々のゲームに対応できるような形態とされており、ゲームの内容に関わらず同じコントローラを用いているので、ゲームの内容による操作感が得られ難いものとなっていた。また、携帯可能な小型のゲーム機では、小型化および軽量化することに重点が置かれており、その操作感は二の次となっているのが現状である。そのため、操作感を向上させるために、ゲームごとに専用のコントローラを用いるものもあるが、ゲームごとに専用のコントローラを用意しなければならずコストのかかるものとなっている。
【０００６】
一方、商業用施設などで用いられるゲーム機の場合、ゲームの内容に応じて専用の表示手段（ディスプレイ）や入力手段（コントローラ）などを備えているので、ゲームの内容に応じた操作感や臨場感を得ることができるものの、ゲーム機全体が大きく一般家庭などで用いるのには不向きであった。
【０００７】
そこで、本発明は、上記の実情に鑑み、ディスプレイとコントローラとを一体化すると共に、ディスプレイを操作することで操作感を向上させると共に、臨場感にあふれた画像を表示させることのできる表示方法の提供を課題とするものである。
【課題を解決するための手段】
【０００８】
本発明に係る表示方法は、「長さおよび幅方向に所定間隔で配置される接続手段と、該接続手段に着脱可能に接続される複数の表示手段と、前記接続手段に接続された前記表示手段の位置を検出する位置検出手段と、該位置検出手段の検出結果を基に前記接続手段を介して前記表示手段に所定の画像を表示させる制御手段とを具備し、該制御手段は、前記接続手段に接続された前記表示手段が互いに隣接する位置にあるときには、互いに関連付けられた画像を隣接する前記表示手段に表示させる」構成とするものである。
【０００９】
ここで、関連付けられた画像としては、具体的な構成を何ら限定するものではないが、隣接した表示手段を一つの表示手段として各表示手段の間を図柄やキャラクタなどが行き来するような画像、新たに隣接するように接続した表示手段に先の表示手段に表示されたある内容の画像に対する続きの内容の画像、所定のパズルや物語性を持った画像、などを例示することができる。
【００１０】
また、接続手段の配置としては、具体的な構成を何ら限定するものではないが、略正方形を列設した桝目状或いは碁盤の目状、略正六角形を列設したハニカム状、その他多角形を列設した状態に配置するものを例示することができる。なお、隣接する位置とは、隣接していれば、その方向は特に限定するものではないが、表示手段を構成する辺同士が隣接するものが望ましい。
【００１１】
さらに、位置検出手段としては、具体的な構成を何ら限定するものではないが、接続手段にアドレスなどを付しておきそのアドレスを認識することで位置を検出するもの、各接続手段を制御手段と直接やり取りすることで位置を検出するもの、センサなどを設けておき表示手段の位置をセンシングすることで検出するものなどを例示することができる。
【００１２】
本発明の表示方法によると、所定間隔で配置された接続手段に、複数の表示手段を接続した際に、それら表示手段の位置を検出して、隣接する表示手段には、制御手段により関連する画像を表示させるようにしたもので、これにより、隣接した位置に表示手段を接続することで、関連のある画像が表示させることで臨場感にあふれたものとすることが可能となる。つまり、表示手段を直接接続手段に接続して操作することで、表示手段に表示される画像が操作内容に応じて変化し、これまでにない操作感を得ることができる。また、表示手段を手に持って操作するので、表示手段に表示される画像に集中し易く臨場感も得ることができる。
【００１３】
また、例えば、ある物語などを表示する場合、その時間を長さ方向に、キャラクタなどを幅方向に設定し、表示手段を接続操作する順序に応じて、物語を時間やキャラクタなど異なる観点から表示させるようにすることもでき、表示手段の操作によって一つの物語に種々の楽しみ方を提供することが可能となる。
【００１４】
本発明に係る表示方法は、「長さおよび幅方向に所定間隔で配置される接続手段と、該接続手段に着脱可能に接続される複数の表示手段と、前記接続手段に接続された前記表示手段の位置を検出する位置検出手段と、該位置検出手段の検出結果を基に前記接続手段を介して前記表示手段に所定の画像を表示させる制御手段とを具備し、該制御手段は、前記接続手段に接続された前記表示手段が互いに隣接しない位置にあるときには、互いに関連付けられた画像を夫々前記表示手段に表示させる」構成とするものである。
【００１５】
本発明の表示方法によると、所定間隔で配置された接続手段に、複数の表示手段を接続した際に、それら表示手段の位置を検出して、隣接していない表示手段に、制御手段により関連する画像を表示させるようにしたもので、これにより、互いに離れた位置にある表示手段に夫々関連のある画像が表示されるので、広がりをもたせることなどが可能となり、興趣に富んだものとすることができる。また、絵合わせかるたや、神経衰弱などのゲームにも用いることが可能となる。
【００１６】
本発明に係る表示方法は、上記の構成に加えて、「前記接続手段は、高さ方向にも所定間隔で配置される」構成とすることもできる。
【００１７】
本発明の表示方法によると、接続手段が、長さおよび幅方向だけでなく、高さ方向にも所定間隔で配置されているので、表示手段を立体的に配置することが可能となり、さらに複雑に画像を表示させることができ、操作感と共に臨場感を高めることができる。
【００１８】
なお、接続手段に表示手段を接続する方向としては、各表示手段が内側を向くように接続したり、或いは、各表示手段が外側を向くように接続したりしても良い。また、接続手段は、立方体状だけでなく、球面体状、多面体状に配置するようにしても良い。
【００１９】
本発明に係る表示方法は、上記の構成に加えて、「前記接続手段に脱着可能に接続され、前記表示手段に表示させる画像を記憶する画像記憶手段をさらに具備し、前記制御手段は、前記接続手段に接続された前記画像記憶手段から呼出した画像を前記表示手段に表示させる」構成とすることもできる。
【００２０】
本発明の表示方法によると、接続手段に接続された画像記憶手段から呼出された画像が表示手段に表示されるので、異なる画像を記憶した画像記憶手段を複数用意しておくことで、表示させる画像を容易に変更することが可能となる。
【００２１】
本発明に係る表示方法は、上記の構成に加えて、「前記制御手段および前記位置検出手段は、前記表示手段と一体的に備えられている」構成とすることもできる。
【００２２】
本発明の表示方法によると、接続手段に接続される表示手段に、制御手段と位置検出手段とを一体に備えたもので、これにより、表示手段同士が接続手段を介して互いに情報を交換することが可能となり、接続手段側に制御手段などを備える必要がないので、複数の接続手段を配置する側の構成を簡略化することが可能となる。
【発明の効果】
【００２３】
上記のように本発明によると、ディスプレイとコントローラとを一体化すると共に、ディスプレイを操作することで操作感を向上させると共に、臨場感にあふれた画像を表示させることのできる表示方法を提供することができる。
【発明を実施するための最良の形態】
【００２４】
以下、本発明を実施するための最良の形態である表示方法について、図１乃至図５に基づき説明する。図１（Ａ）は本発明の表示方法を適用した表示装置の外観を示す斜視図であり、（Ｂ）は表示手段を除いた外観を示す斜視図である。図２は本発明の表示方法の構成を概略で示すブロック図であり、図３は本発明の制御の流れを示すフローチャートであり、図４は本発明の表示手段に表示内容の例を示す説明図であり、図５は図４とは異なる表示内容の例を示す説明図である。
【００２５】
本発明を適用した表示装置１は、図１および図２に示すように、テーブル状の盤面２に桝目状に配置された電気配線コネクタの雌部材などからなる接続手段３と、接続手段３に脱着可能に接続される表示手段４と、接続手段３に接続された表示手段４の位置を検出する図示しない位置検出手段５と、位置検出手段５の検出結果を基に接続手段３を介して表示手段４に所定の画像を表示させる制御手段６と、表示手段４に表示させる画像を記憶する画像記憶手段１１とを備えている。
【００２６】
接続手段３は、図示するように、盤面２上に略正方形に九分割された各桝目の略中央に配置されている。それら接続手段３は、盤面２上から所定深さ一段下がった凹部７内に設けられており、その凹部７の形状は三角形状とされている。これら接続手段３の電気配線は、盤面２の裏側において制御手段６に接続されている。
【００２７】
表示手段４は、その上面にＬＣＤからなるディスプレイ８を備えており、また、その下面には、盤面２に形成された凹部７に対応した形状の凸部９と、接続手段３と接続係合する電気配線コネクタの雄部材１０とが備えられている。この表示手段４は、その雄部材１０を接続手段３に係合接続することで、接続手段３を介して制御手段６に電気的に接続されるようになっている。
【００２８】
位置検出手段５、制御手段６および画像記憶手段１１は、本例では、汎用のコンピュータとされており、中央演算装置（ＣＰＵ）、ＲＡＭやＲＯＭなどの内部記憶装置、キーボードやポインティングデバイスなどの入力手段、ディスプレイ、などの他に、ＣＤ−ＲＯＭなどの外部記憶装置などにより構成されている。そして、制御手段６などは、コンピュータに備えられたオペレーティングシステム（ＯＳ）を介して所定のプログラムを作動させることで機能するようになっている。なお、内部記憶装置あるいは外部記憶装置の何れを画像記憶手段１１としても良い。
【００２９】
次に、本発明の表示方法を適用した表示装置１の作用について図を基に説明する。本例の表示装置１の盤面２には、図１（Ｂ）に示すように接続手段３が桝目状に配置されており、まず、初めに一つ目の表示手段４を、何れかの接続手段３に接続する。すると、接続された表示手段４は、接続手段３を介して制御手段６と接続されると共に、位置検出手段５においてその位置が検出される。そして、制御手段６は、表示手段４に、例えば、図４（Ａ）に示すような所定の画像を表示させる。
【００３０】
続いて、二つ目の表示手段４を、一つ目の表示手段４が接続されている位置以外の位置の接続手段３に接続すると、位置検出手段５により、二つ目の表示手段４が接続された位置を検出する。そして、位置検出手段５からの検出結果を基に制御手段６では、図３に示すような以下の処理を行う。
【００３１】
制御手段６は、位置検出手段５から二つ目の表示手段４の位置が入力されると、一つ目の表示手段４と二つ目の表示手段４とが隣接しているか否かを判別する（ステップＳ１０）。このステップＳ１０で二つの表示手段４が隣接していると判別されると、次のステップＳ１１へと進み、制御手段６は画像記憶手段１１から図４（Ｂ）に示すように互いに関連する画像を呼出して表示手段４に表示させる。
【００３２】
一方、ステップＳ１０において、二つの表示手段４が隣接していないと判別されると、ステップＳ１２において、制御手段６は画像記憶手段１１から図４（Ｃ）に示すように互いに関連しない画像を呼出して表示手段４に表示させる。その後、一つ目の表示手段４、或いは、二つ目の表示手段４を接続手段３から外し、再び残った何れかの接続手段３に接続することで上記の動作を繰り返すようになっている。
【００３３】
この関連した画像としては、例えば、図５に示すように、一つ目の表示手段４ａには、移動可能なキャラクタＣが表示されている場合（同図（Ａ）参照）、その右側に二つ目の表示手段４ｂを接続すると、一つ目の表示手段４ａのキャラクタＣが移動を開始し（同図（Ｂ）参照）、二つ目の表示手段４ｂへとキャラクタＣが移動する（同図（Ｃ）参照）。その後、一つ目の表示手段４ａを外し、二つ目の表示手段４ｂの右側に接続すると、二つ目の表示手段４ｂのキャラクタＣが再び移動を開始し（同図（Ｄ）参照）、今度は、右側にある一つ目の表示手段４ａへと移動する（同図（Ｅ）参照）。このように、隣接した表示手段４ａ，４ｂには互いに関連した画像が表示される。なお、本例では、表示手段４同士が隣接する位置や、接続するタイミングなどによって、種々の異なる画像が表示されるようになっている。
【００３４】
このように、本発明の表示方法を適用した表示装置１によると、隣接した位置に表示手段４を接続することで、関連のある画像が表示させて臨場感にあふれたものとすることが可能となる。つまり、表示手段４を直接接続手段３に接続して操作することで、表示手段４に表示される画像が操作内容に応じて変化し、これまでにない操作感を得ることができる。また、表示手段４を手に持って操作するので、表示手段４に表示される画像に集中し易く臨場感も得ることができる。
【００３５】
また、ある物語などを表示する場合、その時間を長さ方向に、キャラクタなどを幅方向に設定し、表示手段４を接続操作する順序に応じて、物語を時間やキャラクタなど異なる観点から表示させるようにすることもでき、表示手段４の操作によって一つの物語に種々の楽しみ方を提供することが可能となり、本の内容やページを順次表示したり、ゲームなどに用いるのに好適である。
【００３６】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３７】
すなわち、本実施形態では、平面状の盤面２に接続手段３を備えたものを示したが、これに限定するものではなく、高さ方向に対しても接続手段３を所定間隔で配置しても良い。つまり、立方体、球面体、多角面体などの立体の表面、或いは、内面に表示手段４が向くように接続手段３を配置しても良い。これにより、表示手段４を立体的に配置操作することが可能となり、平面上で表示手段４を操作する場合に比べ、操作感をさらに高めることができると共に、画像が三次元空間に表示されるのでさらに臨場感を高めることができる。
【００３８】
また、本実施形態では、制御手段６と共に、汎用のコンピュータの記憶装置を画像記憶手段１１としたものを示したが、これに限定するものではなく、例えば、接続手段３に接続可能な画像記憶手段とすることもできる。これにより、接続手段３に接続された画像記憶手段から呼出された画像が表示手段４に表示されるので、異なる画像を記憶した画像記憶手段を複数用意しておくことで、表示させる画像を容易に変更することが可能となる。また、表示手段４を操作する側と同じ側に画像記憶手段が備えられるので、画像の変更を容易に行うことができる。
【００３９】
さらに、本実施形態では、制御手段６および位置検出手段５を表示手段４とは別体としたものを示したが、これに限定するものではなく、例えば、制御手段６と位置検出手段５とを表示手段４と一体としても良い。これにより、表示手段４同士が接続手段３を介して互いに情報を交換することが可能となり、接続手段３側に制御手段６などを備える必要がないので、複数の接続手段３を配置する側、つまり、表示装置本体側の構成を簡略化することが可能となる。なお、画像記憶手段１１を表示手段４と一体としても良いことは言うまでもない。
【００４０】
また、本実施形態では、表示手段４として、単にディスプレイの機能のみを備えたものを示したが、これに限定するものではなく、例えば、小型ゲーム機のディスプレイ、携帯通信端末機のディスプレイ、テレビのディスプレイ、などディスプレイを備えた既存の装置を表示手段４としても良く、これにより、種々の表示手段４を用いることができ、表示装置としての興趣を高めることができる。
【００４１】
また、本実施形態では、接続手段３として、コネクタの接続による接触式のものを示したが、これに限定するものではなく、無線など非接触式の接続手段としても良く、表示手段４の操作感を向上させることができる。
【００４２】
さらに、本実施形態では、制御手段６に表示手段４が隣接した場合に関連する画像を表示させるものを示したが、これに限定するものではなく、隣接しない場合でも、関連した画像を表示させるようにしても良い。これにより、例えば、かるたなどの絵合わせゲームや、トランプなどの神経衰弱ゲームなどにも用いることが可能となる。
【産業上の利用可能性】
【００４３】
本発明の表示手段は、ゲーム、玩具、教育用の支援、プレゼンテーション、心身機能回復の補助、本の代わりなどに適用することができる。
【図面の簡単な説明】
【００４４】
【図１】（Ａ）は本発明の表示方法を適用した表示装置の外観を示す斜視図であり、（Ｂ）は表示手段を除いた外観を示す斜視図である。
【図２】本発明の表示方法の構成を概略で示すブロック図である。
【図３】本発明の制御の流れを示すフローチャートである。
【図４】本発明の表示手段に表示内容の例を示す説明図である。
【図５】図５は図４とは異なる表示内容の例を示す説明図である。
【符号の説明】
【００４５】
１  表示装置
３  接続手段
４  表示手段
５  位置検出手段
６  制御手段
１１  画像記憶手段
【図１】
2005237582.tif 000003
【図２】
2005237582.tif 000004
【図３】
2005237582.tif 000005
【図４】
2005237582.tif 000006
【図５】
2005237582.tif 000007